(57)【要約】【課題】データの秘匿性を担保しつつ、通信路におけるデータ量を低減する。【解決手段】表示装置１００は、情報を表示する表示パネル１１０と、表示パネル１１０に表示するための符号化データを受信して、受信した符号化データに基づいて表示パネル１１０を制御して情報を表示パネル１１０に表示させる表示ドライバ１２０とを含む。表示ドライバ１２０は、表示装置１００の外部から受信した符号化データを復号化処理する復号器と、表示パネル１１０を制御するための情報を作成する作成回路とを含む。これらの表示パネル１１０と表示ドライバ１２０とが一体化されて表示装置１００が形成されている。【選択図】　　　　図２
2004101905.tif 000002
【特許請求の範囲】
【請求項１】
情報を表示するための表示手段と、
前記表示手段に表示するための符号化データを受信するための受信手段と、
前記受信手段が受信したデータに基づいて、前記表示手段を制御して前記情報を前記表示手段に表示させるための制御手段とを含み、
前記制御手段は、
情報表示装置の外部から前記受信手段が受信した符号化データを復号化するための処理手段と、
前記表示手段を制御するための情報を作成するための作成手段とを含み、
前記表示手段と前記制御手段とが一体化されて形成された、情報表示装置。
【請求項２】
前記処理手段は、圧縮処理により符号化されたデータを復号化して伸張するための手段を含む、請求項１に記載の情報表示装置。
【請求項３】
前記処理手段は、スクランブル処理により符号化されたデータを復号化してスクランブル処理を解除するための手段を含む、請求項１に記載の情報表示装置。
【請求項４】
前記処理手段は、暗号化処理により符号化されたデータを復号化して暗号化処理を解除するための手段を含む、請求項１に記載の情報表示装置。
【請求項５】
前記制御手段は、情報表示装置の外部から前記受信手段が受信したデータに基づいて、符号化処理の種類を判別するための判別手段をさらに含み、
前記処理手段は、前記判別手段による判別結果に基づいて、符号化データを復号化するための手段を含む、請求項１〜４のいずれかに記載の情報表示装置。
【請求項６】
前記情報表示装置は、符号化処理の種類を判別するための情報を受信するための判別情報受信手段をさらに含み、
前記処理手段は、前記判別情報受信手段が受信した情報に基づいて、符号化データを復号化するための手段を含む、請求項１〜４のいずれかに記載の情報表示装置。
【請求項７】
前記受信手段は、計算機のビデオＲＡＭから、前記表示手段に表示するための符号化データを受信するための手段を含む、請求項１〜５のいずれかに記載の情報表示装置。
【請求項８】
前記判別情報受信手段は、計算機のビデオＲＡＭから、符号化処理の種類を判別するための符号化処理された情報を受信するための手段を含む、請求項６に記載の情報表示装置。
【発明の詳細な説明】
【０００１】
【発明の属する技術分野】
本発明は、コンピュータに接続されて使用される情報表示装置に関し、特に、符号化されたデータに基づいて情報を表示する情報表示装置に関する。
【０００２】
【従来の技術】
近年、液晶表示装置等のドットマトリックス型表示装置は、薄型，省電力といった特徴から、ポータブル型コンピュータ等の表示装置に応用されている。コンピュータの処理性能の向上やグラフィックユーザーインターフェースの普及により、表示装置には表示情報量（解像度や表示色）の増大が求められている。
【０００３】
また、このような表示装置に表示される情報の著作権や個人データなどの保護の観点から、表示装置に送信されるデータの秘匿性を確保する必要が高まっている。
【０００４】
表示装置には表示情報量を増大させると、ディスプレイコントローラから液晶表示装置へのデータ転送速度を上げる必要がある。このために回路構成が複雑になることを回避すべく、特開平８−１７９２６５号公報は、ディスプレイコントローラからのデータ転送速度を上げることなく、信号線数の少ない液晶表示装置を開示する。
【０００５】
図４に示すように、この公報に記載された液晶表示装置１０００は、復号化装置１０４０と、液晶表示パネル１０１０と、走査電極駆動装置１０２０および信号電極駆動装置１０３０とから構成される。液晶表示装置１０００の復号化装置１０４０は、液晶表示装置１０００の外部に設けられた符号化装置１０５０から符号化された表示データを受信する。この公報に開示されたこの液晶表示装置１０００によると、符号化装置１０５０により表示データを圧縮して、圧縮制御信号１０６０と圧縮データ信号１０７０とが生成される。液晶表示装置１０００の復号化装置１０４０は、符号化装置１０５０から受信した圧縮制御信号１０６０および圧縮データ信号１０７０により、圧縮データを表示データに伸張するとともに同期信号を付加して、走査電極駆動装置１０２０と信号電極駆動装置１０３０とを制御する。これにより、液晶表示パネル１０１０に表示データを表示できる。
【０００６】
さらに、図５に示すように、この公報に開示された別の液晶表示装置１１００は、図４に示す復号化装置１０４０を含まないで、信号電極駆動装置１０３０に代えて復号化機能を有する信号電極駆動装置１１３０を含む。液晶表示装置１１００の信号電極駆動装置１１３０は、符号化装置１０５０からの圧縮制御信号１０６０および圧縮データ信号１０７０により、圧縮データを表示データに伸張して、液晶表示パネル１０１０の信号電極を駆動する。これにより、液晶表示パネル１０１０に表示データを表示できる。
【０００７】
このように、この公報に開示された液晶表示装置によると、復号機能を液晶表示装置または信号電極駆動装置に具備し、符号化された表示データをディスプレィコントローラから入力することで、ディスプレイコントローラと液晶表示装置との間の転送データ量が低減できるので、情報表示量（解像度や表示色）の増大が可能となる。
【０００８】
【特許文献１】
特開平８−１７９２６５号公報
【０００９】
【発明が解決しようとする課題】
しかしながら、上述した公報に記載された液晶表示装置は、符号化装置１０５０に符号化処理される前の表示データを入力する必要がある。すなわち、ディスプレイコントローラに符号化処理されていない表示データを入力する必要がある。このような場合、一般的には、ディスプレイコントローラに付随するビデオＲＡＭ（Ｒａｎｄｏｍ　Ａｃｃｅｓｓ　Ｍｅｍｏｒｙ）に、符号化処理されていない表示データを一旦書き込んで、符号化装置により符号化処理して圧縮データを液晶表示装置に送信する。このため、一時的にではあるが、ビデオＲＡＭに符号化処理されていない表示データが記憶され、これを読み出されるおそれがある。
【００１０】
本発明は、上述の課題を解決するためになされたものであって、データの秘匿性を担保しつつ、通信路におけるデータを低減できる情報表示装置を提供することである。
【００１１】
【課題を解決するための手段】
第１の発明に係る情報表示装置は、情報を表示するための表示手段と、表示手段に表示するための符号化データを受信するための受信手段と、受信手段が受信したデータに基づいて、表示手段を制御して情報を表示手段に表示させるための制御手段とを含む。制御手段は、情報表示装置の外部から受信手段が受信した符号化データを復号化するための処理手段と、表示手段を制御するための情報を作成するための作成手段とを含む。情報表示装置においては、これらの表示手段と制御手段とが一体化されて形成されたものである。
【００１２】
第１の発明によると、情報表示装置は、その情報表示装置の外部から符号化データを受信する。符号化データは、表示手段である液晶パネルなどと一体化された制御手段である表示ドライバなどの処理手段により、復号化処理が実行される。このとき、作成手段により表示手段を制御するために必要な同期信号などが作成される。制御手段は、復号化処理されたデータと同期信号などとを表示手段に送信し、表示手段により情報が表示される。これにより、情報表示装置には、符号化されたデータを入力すればよいので、第三者は簡単にデータの内容を見ることができない。また、情報表示装置とその情報表示装置の外部の装置との間の通信路におけるデータ量が低減する。その結果、データの秘匿性を担保しつつ、通信路におけるデータを低減できる情報表示装置を提供することができる。
【００１３】
第２の発明に係る情報表示装置は、第１の発明の構成に加えて、処理手段は、圧縮処理により符号化されたデータを復号化して伸張するための手段を含む。
【００１４】
第２の発明によると、処理手段により、圧縮された画像データなどを復号化することができる。
【００１５】
第３の発明に係る情報表示装置は、第１の発明の構成に加えて、処理手段は、スクランブル処理により符号化されたデータを復号化してスクランブル処理を解除するための手段を含む。
【００１６】
第３の発明によると、処理手段により、スクランブルがかけられた画像データなどを復号化することができる。
【００１７】
第４の発明に係る情報表示装置は、第１の発明の構成に加えて、処理手段は、暗号化処理により符号化されたデータを復号化して暗号化処理を解除するための手段を含む。
【００１８】
第４の発明によると、処理手段により、暗号化された画像データなどを復号化することができる。
【００１９】
第５の発明に係る情報表示装置は、第１〜４のいずれかの発明の構成に加えて、制御手段は、情報表示装置の外部から受信手段が受信したデータに基づいて、符号化処理の種類を判別するための判別手段をさらに含む。処理手段は、判別手段による判別結果に基づいて、符号化データを復号化するための手段を含む。
【００２０】
第５の発明によると、情報表示装置の外部の装置から受信したデータに基づいて、符号化処理の種類を判別して、その判別結果を用いて符号化処理の種類に対応した適切な復号化処理を用いて、符号化データを復号化できる。
【００２１】
第６の発明に係る情報表示装置は、第１〜４のいずれかの発明の構成に加えて、符号化処理の種類を判別するための情報を受信するための判別情報受信手段をさらに含む。処理手段は、判別情報受信手段が受信した情報に基づいて、符号化データを復号化するための手段を含む。
【００２２】
第６の発明によると、情報表示装置の外部の装置から判別情報受信手段が受信した情報に基づいて、符号化処理の種類を判別して、その判別結果を用いて符号化処理の種類に対応した適切な復号化処理を用いて、符号化データを復号化できる。
【００２３】
第７の発明に係る情報表示装置は、第１〜５のいずれかの発明の構成に加えて、受信手段は、計算機のビデオＲＡＭから、表示手段に表示するための符号化データを受信するための手段を含む。
【００２４】
第７の発明によると、情報表示装置は、その情報表示装置の外部の計算機のビデオＲＡＭから符号化データを受信するので、計算機において符号化処理されていない情報がないので、情報の秘匿性を担保できる。
【００２５】
第８の発明に係る情報表示装置は、第６の発明の構成に加えて、判別情報受信手段は、計算機のビデオＲＡＭから、符号化処理の種類を判別するための符号化処理された情報を受信するための手段を含む。
【００２６】
第８の発明によると、情報表示装置は、その情報表示装置の外部の計算機のビデオＲＡＭから符号化処理の種類を判別するための符号化処理された情報を受信するので、計算機において符号化処理の種類を示す情報が符号化処理されているので、符号化処理の種類を第三者は容易に特定できないので、情報の秘匿性を担保できる。
【００２７】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２８】
＜第１の実施の形態＞
図１を参照して、本発明の第１の実施の形態に係る表示システムの全体構成について説明する。
【００２９】
図１に示すように、この表示システムは、表示装置１００と表示コントローラ２００とから構成され、表示コントローラ２００には、後述するコンピュータから符号化データが入力される。表示コントローラ２００は、コンピュータから入力された符号化データをそのまま復号化処理することなく表示装置１００に送信する。そのとき、表示コントローラ２００は、表示装置１００に所定の画像データを表示するための制御信号を送信する。
【００３０】
表示装置１００は、液晶などの表示パネル１１０と、表示パネル１１０を駆動するための表示ドライバ１２０とを含む。表示ドライバ１２０には復号器が付随している。
【００３１】
表示ドライバ１２０は、表示パネル１１０が液晶表示装置などのドットマトリクス型表示装置である場合には、走査電極駆動装置と信号電極駆動装置とから構成される。走査電極駆動装置により、表示パネル１１０の走査電極を順次選択し、その選択された走査電極に相当する表示データを信号電極駆動装置から印加する。
【００３２】
表示コントローラ２００は、表示装置１００に、表示データ（符号化データ）および制御信号（同期信号）を表示ドライバ１２０に供給する。
【００３３】
図２を参照して、図１に示す表示システムを利用したコンピュータシステムのブロック図を示す。図２に示すように、コンピュータ１０は、符号化データが記憶されるビデオＲＡＭ３００と、表示装置１００を制御する表示コントローラ２００と、主記憶装置であるＤＲＡＭ（Ｄｙｎａｍｉｃ　Ｒａｎｄｏｍ　Ａｃｃｅｓｓ　Ｍｅｍｏｒｙ）４００と、このコンピュータ１０を制御するＣＰＵ（Ｃｅｎｔｒａｌ　Ｐｒｏｃｅｓｓｉｎｇ　Ｕｎｉｔ）５００と、外部記憶装置であるストレージ６００と、インターネットなどのネットワークに接続されネットワーク上の装置との通信を制御するネットワークインターフェイス７００とを含む。
【００３４】
表示コントローラ２００、ビデオＲＡＭ３００、ＤＲＡＭ４００、ＣＰＵ５００、ストレージ６００およびネットワークインターフェイス７００は、コンピュータ１０の内部でバス８００により接続される。また、表示コントローラ２００とビデオＲＡＭ３００とはデータバス９００により接続される。
【００３５】
以上のような構造を有する表示システムの動作について説明する。
ストレージ６００またはネットワークインターフェイス７００を介して取得した符号化データは、一旦主記憶装置であるＤＲＡＭ４００にバス８００を介して転送される。ＣＰＵ５００は、ＤＲＡＭ４００に記憶された符号化データを時系列に分割してから、ビデオＲＡＭ３００に転送する。
【００３６】
ビデオコントローラ２００は、ビデオＲＡＭ３００に記憶された符号化データを表示装置１００の表示ドライバ１２０に転送する。表示ドライバ１２０は、コンピュータ１０のビデオＲＡＭ３００から送信された符号化データを、表示ドライバ１２０の内部に設けられた復号器により復号化処理して、表示パネル１１０に表示するための表示データを作成する。
【００３７】
コンピュータ１０の表示コントローラ２００は、ビデオＲＡＭ３００に記憶された符号化データを表示ドライバ１２０に転送させる制御を行なうとともに、ビデオＲＡＭ３００に記憶された符号化データを表示パネル１１０に表示するための制御信号を生成し表示ドライバ１２０に転送する。
【００３８】
表示ドライバ１２０は復号化された画像データを、表示コントローラ２００から受信した制御信号に基づいて、走査電極駆動装置と信号電極駆動装置とを用いて、表示パネル１１０の走査電極を順次選択し、その選択された操作電極に相当する画像データを印加する。表示パネル１１０は、表示ドライバ１２０から送信された復号化された画像データを順次表示する。
【００３９】
以上のようにして、本実施の形態に係る表示システムによると、コンピュータ１０の主記憶装置であるＤＲＡＭ４００およびビデオＲＡＭ３００には、圧縮処理化、スクランブル処理化、暗号処理化されたデータが復号化されることなく記憶される。そのため、ＤＲＡＭ４００またはビデオＲＡＭ３００に記憶されたデータを複写しても復号化処理を実行することができず、画像データを得ることができない。
【００４０】
また、コンピュータ１０において、復号化処理を実行する必要がなくなるため、コンピュータ１０側の計算負荷を軽減することができるとともに、さらに、コンピュータ１０のＤＲＡＭ４００やビデオＲＡＭ３００の記憶容量を削減することもできる。
【００４１】
＜第２の実施の形態＞
以下、本発明の第２の実施の形態に係る表示システムについて説明する。なお、前述の第１の実施の形態に係る表示システムと同じ構成については同じ参照符号を付してある。それらの機能も同じである。したがって、それらについての詳細な説明はここでは繰返さない。
【００４２】
図３を参照して、本実施の形態に係る表示システムは、その一部の構成が異なるコンピュータ２０と、表示装置１００とから構成される。コンピュータ２０は、前述の第１の実施の形態において説明したコンピュータ１０とは、復号化コントローラ１３００を新たに含む点が異なる。
【００４３】
この復号化コントローラ１３００は、ストレージ６００またはネットワークインターフェイス７００を介して受信した符号化データに基づいて、符号化処理の注意を表わす情報であって、復号化処理の際に必要となる、復号化情報を抽出する。復号化コントローラ１３００は、抽出された復号化情報を表示ドライバ１２０に送信する。またこの復号化コントローラ１３００は、表示コントローラ１２００と接続されている。
【００４４】
復号化情報は、復号化のためのキーや、復号化のためのアルゴリズムを指定したり制御したりする情報である。
【００４５】
本実施の形態に係る表示システムによると、各画像データごとに、異なる符号化方法により符号化処理を実行させておくことにより、各画像データごとに復号方法が異なる。したがって、前述の第１の実施の形態に係る表示システムに比較して、さらにセキュリティを高く担保することができる。
【００４６】
なお、上述した実施の形態においては、符号化データは、圧縮処理のために符号化されたデータ、暗号処理のために符号化されたデータおよびスクランブル処理のために符号化されたデータのいずれであってもよいし、さらには、それらのいずれのデータでもなく、これらの方法とは別の方法により符号化されたデータであってもよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態に係る表示システムの全体構成図である。
【図２】本発明の第１の実施の形態に係る表示システムの制御ブロック図である。
【図３】本発明の第２の実施の形態に係る表示システムの制御ブロック図である。
【図４】従来の表示装置の制御ブロック図（その１）である。
【図５】従来の表示装置の制御ブロック図（その２）である。
【符号の説明】
１０、２０　コンピュータ、１００　表示装置、１１０　表示パネル、１２０表示ドライバ、２００、１２００　表示コントローラ、３００　ビデオＲＡＭ、４００　ＤＲＡＭ、５００　ＣＰＵ、６００　ストレージ、７００　ネットワークインターフェイス、８００　バス、９００　データバス、１３００　復号化コントローラ、１０００、１１００　液晶表示装置、１０１０　液晶表示パネル、１０２０　走査電極駆動装置、１０３０、１１３０　信号電極駆動装置、１０４０　復号化装置、１０５０　符号化装置、１０６０　圧縮制御信号、１０７０
圧縮データ信号。
【図１】
2004101905.tif 000003
【図２】
2004101905.tif 000004
【図３】
2004101905.tif 000005
【図４】
2004101905.tif 000006
【図５】
2004101905.tif 000007